(57)【要約】      （修正有）【課題】縦置き又は横置きに立て掛けてスタンドとして使用でき、更にスタンド角度が可変するスタンド機能と手持ち使用時に、落下防止及び安定使用できる多機能型の電子機器カバー又はケースを提供する。【解決手段】正面部、背面部４、可撓性ふた部５で構成され、正面部には電子機器を固定する保持部、背面部４には手持ち時の可撓性ふた部５を固定兼机上などで立て掛けてスタンド機能として使用する際の固定及び紐などを通して壁や物など、相手側に引っ掛けて固定できる支持部７，１１，１３を有し、可撓性ふた部５には安定使用及び落下防止用に指や紐などが入れられると共に縦置き又は横置きに立て掛けて使用するスタンド使用時の支え部分となるために非可撓性な構造を構成する二重部８、背面部４の支持部７，１１，１３へ装着し、少なくとも一つ以上の谷部を形成するジグザグ部分を備える舌片部１２を有する。【選択図】図１
0003191861.tif 000002
【実用新案登録請求の範囲】
【請求項１】
正面部、背面部、可撓性ふた部で構成され、正面部には電子機器を固定する保持部、背面部には手持ち時の可撓性ふた部を固定兼机上などで立て掛けてスタンド機能として使用する際の固定及び紐などを通して壁は物など、相手側に引っ掛けて固定できる支持部を有し、可撓性ふた部には安定使用及び落下防止用に指や紐などが入れられると共に縦置き又は横置きに立て掛けて使用するスタンド使用時の支え部分となるために非可撓性な構造を構成する二重部、背面部の支持部へ装着し、少なくとも一つ以上の谷部を形成するジグザグ部分を備える舌片部を有する多機能型の電子機器カバー又はケース。
【請求項２】
舌片部を上又は下にした状態で見た場合に、可撓性ふた部の左右をくびれ形状に施した請求項１の多機能型の電子機器カバー又はケース。
【考案の詳細な説明】
【技術分野】
【０００１】本考案は、電子機器を収容・保護すると共に机上などで立て掛けることのできるスタンド機能及び手持ち時に指や手を引っ掛けて落下防止と同時に安定使用でき、壁や物などへ引っ掛けることを可能にする構造を同時に有することで、電子機器をあらゆる場面で使用することを可能にする実用性に配慮された多機能型の電子機器カバー又はケースに関する。
【背景技術】
【０００２】従来の電子機器のケースやカバーは、単一的な機能であるものが多く、スタンド機能を有していたとしても縦置きか横置きのいずれか片方の向きに限定されていたり、双方備えていたとしてもカバーから一旦外す必要があったり、スタンドの角度の微調整が出来なかったり、特許文献２では、金具などケースとは別の素材を要することがあった。また、手持ち時の落下防止機能を有していたとしても、特許文献１の技術では、安定性が保てなかったり、特許文献３の技術では、固定されていて安定していたとしても、縦持ちか横持ちのいずれかに限定され、複数配慮されていたとしてもこれらの機能を全て同時に有する電子機器カバーやケースは一般的ではなかった。
【先行技術文献】
【特許文献】
【０００３】実開昭６２−０８４９７７号公報【０００４】特開２０１０−２６８２３７号公報【０００５】特開２０１３−５５５１０号公報【０００６】特開２００１−２５７７５７号公報【０００７】特開２０１１−２３５５５号公報
【考案の概要】
【考案が解決しようとする課題】
【０００８】本考案は上述したような問題点を解決するためのものであり、縦置き又は横置きに立て掛けてスタンドとして使用でき、更にスタンド角度が可変する多機能タイプのスタンド機能と縦向きの手持ちと横向きの手持ち使用時に指や紐などを引っ掛けて、落下防止及び安定使用のできるこれらの機能を金具などを使用せずとも、同一な素材での構成も可能とし、更にひとつの電子機器カバー又はケースでこの全ての機能を提供できる事を目的としている。
【課題を解決するための手段】（請求項）【０００９】このため請求項１記載の考案は正面部３には電子機器の主たる操作面を除く上下端又は左右端のいずれか若しくは両方又は各角部などを保持する為の電子機器保持部６は角部分に角クッション部１５を設け、落下時の角部のクッション機能を有し、背面部４には手持ち時の可撓性ふた部５を安定使用するために固定及び紐などを通して壁はものなどに引っ掛けることを可能にする縦持ち固定用挿入支持部１１と机上などに立て掛けてスタンド機能として使用する際の支え部分を固定する縦又は横使用時固定用挿入支持部７を有し、可撓性ふた部５には落下防止用に指や紐などが入れられると共に縦置き又は横置きのスタンド使用時の支え部としての非可撓性な要素を構成する二重部８と背面部４の縦持ち固定用挿入支持部１１や縦又は横使用時固定用挿入支持部７へ装着する舌片部１２、また、舌片部１２には少なくとも一つ以上の谷部を形成するジグザグ部を有するとで構成される。【００１０】このことで、机上で立て掛けてスタンド機能として使用（縦置き又は横置き）及び立て掛け時の角度を調整変更でき、電子機器操作時（縦又は横向き使用時の手持ち又は壁や物への引っ掛け）の落下防止と万が一、落下した場合の破損を電子機器を覆っている部分と角部のクッション機能で保護し、これら複数機能をひとつのカバー又はケースで実現できる事を特徴とする。【００１１】請求項２記載の考案は、舌片部を上又は下にした状態で見た場合として、可撓性ふた部の左右をくびれ形状に施すことで構成され、請求項１の舌片部を上又は下にして、くびれた上下の中央部分は、可撓性を生かして折り曲げて背面部４の縦持ち固定用挿入支持部１１又は縦立て掛け固定用挿入支持部１３へ装着することで横立て掛けを実現させてくれることを特徴とする。
【考案の効果】
【００１２】上記のように構成された本発明の多機能型電子機器カバー又はケースは、机上などで立て掛けて使用する際の縦置き又は横置きとその際のスタンド角度を変更でき、また、手持ちや紐などを使用して壁や物などへ縦向き又は横向きで引っ掛けて操作する際の落下防止、万が一、落下した場合の破損を保護し、これら複数の機能をひとつのカバー又はケースで実現できる。【００１３】机上などで立て掛ける際、縦置きで使用する場合は、可撓性ふた部にある舌片部を縦又は横使用時固定用挿入支持部又は縦立て掛け段階調整挿入支持部へ挿入することで、立て掛け時の角度の段階調整が可能になり、縦又は横使用時固定用挿入支持部へ複数の縦立て掛け段階調整挿入支持部を設ける事で、電子機器の立て掛け時の更なる角度の微調整が可能となる。【００１４】机上などで立て掛ける際、横置きで使用する場合は、可撓性ふた部の舌片部のジグザグ部の差し込み具合や、ジグザグ部の谷部を複数設けることで、電子機器の立て掛け時の角度を微調整することができる。
【図面の簡単な説明】
【００１５】
【図１】本考案の請求項１の実施の形態における本体カバーの背面図
【図２】本考案の請求項１の実施の形態における本体カバーの正面図
【図３】本考案の請求項１の実施の形態における本体カバーの側面図
【図４】本考案の請求項１の実施の形態における本体カバーを電子機器２に全て覆わせた状態の正面図
【図５】本考案の請求項１の実施の形態における本体カバーの開口部へ指や紐が挿入できることを矢印（↑、↓、←、→）で示した例示図
【図６】本考案の請求項１の実施の形態におけるスタンド機能として縦置きに立て掛けて使用した側面図
【図７】本考案の請求項１の実施の形態におけるスタンド機能として横置きに立て掛けて使用した背面図
【図８】本考案の請求項１の実施の形態におけるスタンド機能として横置きに立て掛けて使用した正面図
【図９】本考案の請求項２の実施の形態における本体カバーの背面図
【図１０】本考案の請求項２の実施の形態における本体カバーの正面図
【図１１】図６を斜視した例示図
【図１２】図７を斜視した例示図
【図１３】図５の二重部８の開口部へ指を挿入した小サイズの電子機器を縦持ちに手持ちした際の例示図
【図１４】図５の二重部８の開口部へ指を挿入した小サイズの電子機器を横持ちに手持ちした際の例示図
【図１５】図５の二重部８の開口部へ指を挿入した大サイズの電子機器を縦持ちに手持ちした際の例示図
【図１６】大サイズの電子機器を縦持ちに手持ちした際の図５の二重部８の部分について、図１５の場合とは別の開口部へ指を挿入した場合の例示図
【図１７】図５の二重部８の開口部へ指を挿入した大サイズの電子機器を横持ちに手持ちした際の例示図
【図１８】大サイズの電子機器を横持ちに手持ちした際の図５の二重部８の部分について、図１７とは別の開口部へ指を挿入した場合の例示図
【図１９】電子機器を縦の状態で引っ掛けることを示した例示図
【図２０】電子機器を横の状態で引っ掛けることを示した例示図
【図２１】図１９を応用して、図６の状態で引っ掛けることにより角度を付けられる事を示した例示図
【図２２】図２２は、請求項２の実施形態を斜視した例示図
【考案を実施するための形態】
【００１６】以下、本考案の実施の形態を図１〜図２２に基づいて説明する。
【００１７】図１は、背面部４と可撓性ふた部５から成り、背面部４には、縦持ち固定用挿入支持部１１と縦又は横使用時固定用挿入支持部７及び縦立て掛け段階調整挿入支持部１３があり、可撓性ふた部５にはふたつの二重部８と少なくとも一つ以上の谷部を形成するジグザグ部を有した舌片部１２がある。
【００１８】図２は、正面部３と可撓性ふた部５から構成され、正面部３には電子機器２を保持する電子機器保持部６があり、可撓性ふた部５にはふたつの二重部８と少なくとも一つ以上の谷部を形成するジグザグ部を有した舌片部１２がある。
【００１９】図３は、図１、図２の側面を示した図である。
【００２０】図４は、電子機器２を全て覆わせた状態の正面図である。
【００２１】図５は、図１の各支持部や二重部分の開口部へ指や紐などを通して使用時の落下防止を説明する説明図である。
可撓性ふた部５の二重部８へ開口部（矢印部↑、↓、←、→）を多様に設けることで、指や手を入れた場合、手の大きさや電子機器の大きさに応じて様々な持ち方が実現できたり、紐などを通して壁や物などに引っ掛ける事で固定して電子機器を操作できたり、落下を防止することができることを示している。
また、背面部４の縦持ち固定用挿入支持部１１と縦又は横使用時固定用挿入支持部７へ開口部（矢印部↑、↓、←、→）を多様に設けることで、紐などを通して壁や物などに引っ掛けて固定して電子機器を操作できたり、落下を防止することができることを示している。
【００２２】図６は、図１を縦置きのスタンド機能へ展開した図である。
可撓性ふた部５の上下に位置する非可撓性要素の中央部に位置する可撓性部分を折り曲げ、舌片部１２を縦又は横使用時固定用挿入支持部７へ挿入することで縦置きのスタンドを実現していることを示した図である。また、舌片部１２を縦持ち固定用挿入支持部１１へ挿入することで、スタンド角度の段階調整することが可能であり、縦持ち固定用挿入支持部１１を複数設ける事でスタンド角度の微調整が可能となる。
【００２３】図７は、図１を横置きのスタンド機能へ展開した図である。
可撓性ふた部５の上下に位置する非可撓性要素の中央部に位置する可撓性部分を折り曲げ、舌片部１２の少なくとも一つの谷部を形成するジグザグ部を縦又は横使用時固定用挿入支持部７へ引っ掛ける事で横置きのスタンドを実現していることを示した図である。
また、舌片部１２の谷部を形成するジグザグ部を多数設ける事でスタンド角度の微調整が可能となる。
【００２４】図８は、図７を電子機器の操作面がある正面側を示した図である。
【００２５】図９は図１を請求項２の実施形態にした図である。
請求項１の図１の可撓性ふた部５の左右をくびれ形状に施した可撓性ふた横立て掛け用クビレ部１４で構成する事で請求項２の仕様を実現させている。
舌片部１２を上にして、くびれた上下の中央部分は、可撓性を生かして折り曲げ、背面部の縦持ち固定用挿入支持部１１又は縦又は横使用時固定用挿入支持部７へ装着することで横立て掛けを実現させることを示した図である。但し、この場合図４の状態へ展開した場合、クビレた部分は電子機器を完全に覆えないことを想定しているが、背面部又は側面部の素材を延長させてその部分を補える事も想定している。
【００２６】図１０は図２を請求項２の実施形態にした図である。
請求項１の図２の可撓性ふた部５の左右をくびれ形状に施した可撓性ふた横立て掛け用クビレ部１４で構成する事で請求項２の仕様を実現させている。
【００２７】図１１は、図６を斜視した例示図である。
【００２８】図１２は、図７を斜視した例示図である。
【００２９】図１３は、小サイズの電子機器を縦持ちに手持ちした際の落下防止及び安定操作をするために、図５の二重部８の開口部へ指を挿入した例示図である。
【００３０】図１４は、小サイズの電子機器を横持ちに手持ちした際の落下防止及び安定操作をするため、図５の二重部８の開口部へ指を挿入した例示図である。
【００３１】図１５は、大サイズの電子機器を縦持ちに手持ちした際の落下防止及び安定操作をするため、図５の二重部８の開口部へ指を挿入した例示図である。
【００３２】図１６は、大サイズの電子機器を縦持ちに手持ちした際の落下防止及び安定操作をするため、図５の二重部８の部分について、他の開口部へ指を挿入した場合の例示図である。これは指の大きさや右利き、左利きを選ばず使用可能であることと電子機器の安定操作の為に様々な持ち方が実現できる事を示した例示図である。
【００３３】図１７は、大サイズの電子機器を横持ちに手持ちした際の落下防止及び安定操作をするため、図５の二重部８の開口部へ指を挿入した例示図である。
【００３４】図１８は、大サイズの電子機器を横持ちに手持ちした際の落下防止及び安定操作をするため図５の二重部８の部分について、他の開口部へ指を挿入した場合の例示図である。これは指の大きさや右利き、左利きを選ばず使用可能であることと電子機器の安定操作の為に様々な持ち方が実現できる事を示している。
【００３５】図１９は、図５の背面部４の縦持ち固定用挿入支持部１１と縦又は横使用時固定用挿入支持部７の開口部（矢印部↑、↓、←、→）へ紐などを通して壁や物などに引っ掛ける事で固定して電子機器の安定操作できたり、落下を防止することができることを電子機器を縦の状態で引っ掛けることを示した例示図である。
【００３６】図２０は、図５の背面部４の縦持ち固定用挿入支持部１１と縦又は横使用時固定用挿入支持部７の開口部（矢印部↑、↓、←、→）へ紐などを通して壁や物などに引っ掛ける事で固定して電子機器の安定操作できたり、落下を防止することができることを電子機器を横の状態で引っ掛けることを示した例示図である。
【００３７】図２１は、図１９のように電子機器を縦の状態で引っ掛ける方法を応用して、図６の状態で引っ掛けることにより、スタンド部分が壁や物などに当たり、画面が上向きに傾斜する事で壁や物などに引っ掛けた場合でも角度を付けられる事を示した例示図である。
【００３８】図２２は、請求項２の実施形態を斜視した例示図である。
請求項１の舌片部を上又は下にして、くびれた上下の中央部分は、可撓性を生かして折り曲げて背面部４の縦持ち固定用挿入支持部１１又は縦立て掛け固定用挿入支持部１３へ装着することで横立て掛けを実現させている例示図である。
【産業上の利用可能性】
【００３９】このように構成された本発明としての多機能型の電子機器カバー又はケースは、あらゆる場面で使用可能な実用性が重要視されており、また、本体カバー自体を合成樹脂や皮革など、あらゆる素材の中から選択して構成することで、デザイン性、ファッション性などを同時に提供することができる。また、例えば、皮革と金具など複数素材を使用することなく、皮革のみや合成樹脂のみなどの単一素材で構成を完結することができる。このことから、電子機器を単なる道具からあらゆる場面で使用できる道具として、また、小物、ファッション小物へと発展させることができるため、新たな市場の可能性を生み出し、プライベートな場面からビジネスの場面まで幅広く提供することができる。
【符号の説明】
【００４０】１．本体カバー
２．電子機器（点線部）
３．正面部
４．背面部
５．可撓性ふた部
６．電子機器保持部
７．縦又は横使用時固定用挿入支持部
８．二重部
９．ふた部中央折り返し可撓部
１０．カバー中央折り返し可撓部
１１．縦持ち固定用挿入支持部
１２．舌片部
１３．縦立て掛け段階調整挿入支持部
１４．可撓性ふた横立て掛け用クビレ部
１５．角クッション部
【図１】
0003191861.tif 000003
【図２】
0003191861.tif 000004
【図３】
0003191861.tif 000005
【図４】
0003191861.tif 000006
【図５】
0003191861.tif 000007
【図６】
0003191861.tif 000008
【図７】
0003191861.tif 000009
【図８】
0003191861.tif 000010
【図９】
0003191861.tif 000011
【図１０】
0003191861.tif 000012
【図１１】
0003191861.tif 000013
【図１２】
0003191861.tif 000014
【図１３】
0003191861.tif 000015
【図１４】
0003191861.tif 000016
【図１５】
0003191861.tif 000017
【図１６】
0003191861.tif 000018
【図１７】
0003191861.tif 000019
【図１８】
0003191861.tif 000020
【図１９】
0003191861.tif 000021
【図２０】
0003191861.tif 000022
【図２１】
0003191861.tif 000023
【図２２】
0003191861.tif 000024